(57)【要約】      （修正有）【課題】福島第一原子力発電所（以下、略して、フクイチ、又は福１とする）の、原子炉が破損をして、原子炉内部の核燃料が核分裂を起こし、臨界に到達をして暴走している。この暴走をしている核燃料は、3000℃前後の高温状態に上昇をしている。この核燃料を冷却するのに、水溶液を使用して冷却すると、放射能に汚染された放射能汚染水が、際限もなく増加をすることになる。この課題を解決することを目的とする。【解決手段】液化LNGの気化熱と置換をしたフロンは、−100℃以下の低温に、−162℃の液化ＬＮＧの気化熱を使用して冷却をすることが出来る。フクイチの外周、及び核燃料の真下の部分から、−100℃以下に冷却をしたフロン２２Rを使用して冷却をすることにより、高温状態の核燃料を、100℃未満の温度に低下させることができる。【選択図】図８
2019164149.tif 000002
【特許請求の範囲】
【請求項１】
福島第一原子力発電所（以下、略して、フクイチ、又は福１とする）の、原子炉が破損をして、原子炉内部の核燃料が核分裂を起こし、臨界に到達をして暴走している、この核燃料を冷却する目的にて、液化LNGの気化熱をフロンに置換をして、このフロンを使用して、核燃料の周辺、及び原子炉の真下の核燃料を、フクイチの外周、及び核燃料の真下の部分から冷却をすることにより、高温状態の核燃料を、100℃未満の温度に低下させるための液化LNGは液化LNG専用船にて輸入をした、液化LNG専用船を、福１原子力発電所の岸壁に、直接に接岸をして、福１原子力発電所の敷地の内部に設置をしている、高圧タンクの内部に、液化LNG専用船から移送をした、液化LNGを使用して高温状態の原子炉を冷却する方法。
【請求項２】
福島第一原子力発電所に於いて、放射能に汚染をされた放射能汚染水（以下、略して、汚染水とする）を精製して、放射能に汚染をされた汚染物質（以下、略して、放射能汚染物質とする）と、水溶液とに分離をする目的のために、放射能汚染水を、フリーズドライ製法を使用して、放射能汚染水を放射能汚染物質と、水溶液とに分離して水溶液を昇華させて気化させるための冷熱は、液化LNGの気化熱と置換をした、フロンを冷熱の熱源とすると、安価なコストにてフリーズドライ製法の冷熱として多量に供給をすることが出来ることを特徴とする放射能汚染水を精製して、水分と、トリチウムと放射能汚染水とに分離して精製をして水分と、トリチウムと汚染物質とに分離をして水分とトリチウムとを昇華させて気化させて放射能汚染水を処理することが出来る方法。
【発明の詳細な説明】
【技術分野】
【０００１】
福島第一原子力発電所を中心として建設をする凍土壁を凍結する冷媒として、膨大な冷熱を安価にて供給をすることが出来る、−１６２℃の液化ＬＮＧの気化熱を使用して凍土壁を凍結することを目的とする。
【０００２】
また、福島第一原子力発電所を中心として建設をする凍土壁を凍結する冷媒として、福島第一原子力発電所から５０ｋｍ程度の距離にある、仙台市ガス局から−１６２℃の液化ＬＮＧの供給を受けて凍土壁を凍結することを目的とする。
【０００３】
さらに、福島第一原子力発電所を中心として建設をする凍土壁を凍結する冷媒として、仙台市ガス局から−１６２℃の液化ＬＮＧの供給を受け、気化熱を使用して凍土壁を凍結したあとの、気化をしたＬＮＧの気化のガスは、仙台市ガス局に送り返すことを目的とする。
【０００４】
また、高温状態にて発熱をしている核燃料を冷却するのに、−１６２℃の液化ＬＮＧの気化熱を塩化カルシウム、又は不凍液、又はその他の冷媒（以下、略して、塩化カルシウムとする）と置換をした、−３０℃以下に冷却をした塩化カルシウムと核燃料とを、直接に接触をさせて核燃料を冷却することを目的とする。
【０００５】
さらに、汚染水の発生を一切遮断する目的にて、高温状態にて発熱をしている核燃料を冷却するのに水溶液を一切使用しなくて、核燃料を冷却する目的のために、福島第一原子力発電所の原子炉の内部にて、高温状態にて発熱をしている核燃料を冷却するのに、−１６２℃の液化ＬＮＧの気化熱を塩化カルシウム、又は不凍液、又はその他の冷媒（以下、略して、塩化カルシウム、又は冷媒とする）と置換をした、−３０℃以下に冷却をしている塩化カルシウム、又は冷媒とを、直接に核燃料と接触をさせて、高温状態にて発熱をしている核燃料と、−３０℃以下に冷却をした塩化カルシウム、又は冷媒とを、直接に接触をさせて、高温状態にて発熱をしている核燃料を、−３０℃以下に冷却をしている塩化カルシウム、又は冷媒を使用して冷却をすることを目的とする。
【０００６】
また、福島第一原子力発電所を中心として、建屋の外周に地下水が建屋に流れ込むのを防止するために、総延長が１,４００ｍもの凍土壁を建設する。この凍土壁を凍結するのに、膨大な冷熱を安価に供給することが出来る、−１６２℃の液化ＬＮＧの気化熱をフロン、又は塩化カルシウム、又はその他の冷媒と置換をした冷熱を使用して凍土壁を凍結することを目的とする。
【０００７】
さらに、福島第一原子力発電所を中心として、地下水が建屋に流れ込むのを防止することを目的とする。または、汚染水が建屋から漏洩するのを防止する目的にて、建屋の外周に建設する凍土壁を凍結するのに、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して凍土壁を凍結することを目的とする。
【０００８】
また、汚染水が溜まった地下坑道（トレンチ）を凍結する場合、汚染水はタービン建屋から地下坑道に流れ込んだ後、地下坑道から海洋に汚染水が漏洩をしている。この漏洩をしている汚染水は流速があり、流速が冷却熱を奪って流出をしている汚染水が流れ出している、この地下坑道を凍結する場合、冷媒として、膨大な冷熱を安価に供給することが出来る、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して冷却することにより、汚染水が流れ出している地下坑道を凍結することを目的とする。
【０００９】
さらに、原子炉配管から漏水をしている、高濃度に汚染をされた汚染水、例えば、原子炉を貫く配管の蛇腹部分から冷却水が漏れ出している漏洩水を止めるのに、水溶液を使用して冷却をする代わりとして、−１６２℃の液化ＬＮＧの気化熱を塩化カルシウム、又はその他の冷媒（以下、略して、塩化カルシウムとする）と置換をした、−３０℃以下に冷却をした塩化カルシウムを、直接に冷却剤の冷媒として使用して、原子炉を貫く配管の蛇腹部分から冷却水が漏れ出している漏洩水を、−３０℃以下に冷却をした塩化カルシウムを、直接に冷却剤の冷媒として使用して冷却をすることにより、結果として、漏洩水を凍結して、原子炉を貫く配管の蛇腹部分から冷却水が漏れ出している漏洩水を氷結することにより、蛇腹部分から冷却水が漏れ出している漏洩水を止めることを目的とする。
【００１０】
また、格納容器が破損して水漏れを起こしている破損部分を修復して、格納容器からの水漏れを止めるのに、水溶液を使用して冷却をする代わりとして、−１６２℃の液化ＬＮＧの気化熱と置換をした塩化カルシウムを、−３０℃以下に冷却をした塩化カルシウムを、直接に冷却剤の冷媒として使用して、格納容器が破損して水漏れを起こしている水溶液を凍結することにより、結果として、破損部分を修復して、格納容器からの水漏れを氷結することにより、格納容器からの水漏れを止めることを目的とする。
【００１１】
さらに、原子炉の内部にて、高温状態にて発熱をしている核燃料を冷却するのに、例えば、−３０℃以下に冷却をした塩化カルシウム、又は不凍液、又は冷媒（以下、略して、塩化カルシウムとする）を使用して、核燃料を冷却することにより、原子炉を貫く配管の蛇腹部分が損傷をして、冷却水が水漏れを起こしている損傷部分、又は格納容器が破損をして水漏れを起こしている破損部分からの漏洩水を止めることを目的とする。
【００１２】
また、本発明は、福島第一原子力発電所（以下、略して、フクイチ、又は福１とする）の、原子炉が破損をして、原子炉内部の核燃料が核分裂を起こし、臨界に到達をして暴走している。この暴走をしている核燃料は、3000℃前後の高温状態に上昇をしている。この核燃料を冷却する目的にて、フクイチを構成している、原子炉の周辺一帯、及び原子炉の真下の部分を、全面的に、液化LNGの気化熱を、熱交換器機を使用して、引火性がなく、凝固点が低くて、危険性が全くない、フロン、又はアンモニア、又はその他の冷媒（以下、略して、フロンとする）に、液化LNGの気化熱と置換をしたフロンは、フロンの種類にもよるけれども、例えば、品名がフロン２２R（以下、略して、フロン２２R、又はフロンとする）は、−100℃以下の低温に、−162℃の液化ＬＮＧの気化熱を使用して冷却をすることが出来る。例えば、会社名  住友精密工業株式会社が製造している熱交換機を使用して、−162℃の液化LNGの気化熱を、−100℃以下のフロン２２Rに置換をして、フロン２２Rを−100℃以下の低温に効率よく冷却をすることが出来る。このー100℃以下に冷却をした、フロン２２Rを使用して、核燃料の周辺、及び原子炉の真下の部分を、間接的に、−100℃以下のフロン２２Rを使用して冷却をする。結果として、フクイチを構成している核燃料を、フクイチの外周、及び核燃料の真下の部分から、−100℃以下に冷却をしたフロン２２Rを使用して冷却をすることにより、高温状態の核燃料を、100℃未満の温度に低下させることを目的とする。
【００１３】
さらに、アンモニア、又はフロン、又はその他の冷媒（以下、略して、アンモニアとする）に、液化LNGの気化熱と置換をした冷熱のアンモニアを、例えば、−50℃以下に冷却をしたアンモニア（以下、略して、説明の都合上、液化LNG、又はアンモニアとする）を使用して、核燃料の周辺、及び真下の部分を、間接的に、−40℃以下に凍結をして、フクイチを構成している核燃料を、フクイチの外周、及び核燃料の真下の部分から、間接的に、冷熱のアンモニアを使用して冷却をすることにより、高温状態の核燃料を、100℃未満の温度に低下させることを目的とする。
【００１４】
また、本発明は、原子力発電所の核燃料を収納している圧力容器を中心として、圧力容器の外周を包み込む形状をした、格納容器が水漏れ、又は破損した状態の格納容器を、格納容器の外周を、例えば、−40℃以下の低温状態に凍結をして、格納容器からの水漏れ、又は破損した部分を氷結して修復すると同時に、核燃料を収納している圧力容器を、−40℃以下の低温状態に格納容器の外側から圧力容器を冷却して、圧力容器内部の核燃料を100℃以下に冷却することを目的とする。
【００１５】
さらに、本発明は、原子力発電所が崩壊をして原子炉内部の核分裂を制御することが出来ない場合の原子炉の冷却、及び原子炉から漏れる放射能汚染水を遮断することを目的とする。
【００１６】
また、福島第一原子力発電所（以下、略して、フクイチ、又は福１とする）の核燃料が臨界に到達をして、高温状態にて暴走をしている核燃料を、液化LNGの気化熱を塩化カルシウム、又はフロンなどの冷媒に置換をした冷熱を使用して、冷却水を０℃から５℃以下に冷却をした冷却水を使用して、核燃料を冷却することにより、高濃度に汚染をされた汚染水の発生を減少させることを目的とする。
【００１７】
さらに、福島第一原子力発電所（以下、略して、フクイチ、又は福１とする）の核燃料を収納している原子炉建屋を中心として、原子炉建屋の外周を、液化LNGの気化熱を塩化カルシウム、又はフロン、又はその他の冷媒（以下、略して、冷媒とする）に置換をした冷熱を使用して、原子炉建屋を中心として、原子炉建屋の外周を取り囲んで凍土壁を凍結する目的の冷熱として、液化LNGの気化熱を塩化カルシウムなどの冷媒に置換をした冷熱を使用して凍土壁を凍結して、地下水が原子炉建屋に流れ込むのを阻止する。または、海洋への汚染水が、原子炉建屋から汚染水が漏洩をして、海洋に汚染水が流出するのを阻止することを目的とする。
【００１８】
また、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化LNGの気化熱と置換をしたフロン２２R、又はフロン、又はアンモニア、又は塩化カルシウム、又はその他の冷却剤である冷媒（以下、略して、フロン２２、又はフロン、又はアンモニア、又は塩化カルシウム、又は冷媒とする）を使用して、高温状態にて暴走をしている核燃料を冷却する低温状態の冷却水（以下、略して、冷却水、又は汚染水とする）を、液化LNGの気化熱を使用して、冷却水を０℃から５℃以下の低温状態の温度に冷却をした冷却水である、極く低い低温状態の冷却水を使用して、高温状態にて暴走をしている核燃料を、例えば、１００℃未満の常温状態に冷却をすることにより、一日当たり４００トンの冷却水が必要とされる冷却水を、1/5程度の８０トン前後の冷却水を使用して、高温状態にて暴走をしている核燃料を、１００℃未満の常温状態に冷却をすることが出来ることになる。従来、一日当たり、常温状態の冷却水を４００トン使用して核燃料を冷却しているのが現状である。この４００トンの冷却水を使用して、核燃料を冷却している冷却水が、日々、汚染水となって、４００トンの高濃度に汚染された汚染水を排出しているのが現状である。この汚染水の排出を最小限に減少させる目的にて、冷却水を０℃から５℃以下に冷却をした、８０トン程度の冷却水を使用して、高温状態にて暴走をしている核燃料を冷却することにより、結果として、高濃度に汚染をされた汚染水の発生を、例えば、一日当たり４００トンから、４００トンの1/5程度の８０トン前後に汚染水の発生を減少させることが出来ることを目的とする。
【００１９】
さらに、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化LNGの気化熱と塩化カルシウムとに、熱交換機を使用して置換をした塩化カルシウム、又はその他の冷却剤である冷媒（以下、略して、塩化カルシウム、又は冷媒とする）である塩化カルシウムなどを、例えば、−３０℃以下に冷却をした塩化カルシウムを使用して、核燃料が臨界に到達をして、高温状態にて暴走をしている核燃料を、１００℃未満の常温状態に冷却をするのに、−３０℃以下に冷却をした塩化カルシウムを使用して、−３０℃以下に冷却をしている塩化カルシウムを、高温状態にて暴走をしている核燃料と、直接に接触をさせ、循環させて、高温状態にて暴走をしている核燃料を、超低温状態の塩化カルシウムを使用して、１００℃未満の常温状態に核燃料を冷却する構成とすることにより、水溶液を使用することなく高温状態の核燃料を冷却することが出来るので、汚染水の発生を減少、及び遮断することが出来ることになる。
【００２０】
また、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、冷凍機を使用して圧縮して冷却をしたアンモニア、又はフロンなどの冷却をした冷媒と、熱交換機とを使用して置換をした塩化カルシウム、又はその他の冷却剤である冷媒（以下、略して、塩化カルシウム、又は冷媒とする）である塩化カルシウムなどを、例えば、−３０℃以下に冷却をした塩化カルシウムを使用して、核燃料が臨界に到達をして、高温状態にて暴走をしている核燃料を、１００℃未満の常温状態に冷却をするのに、−３０℃以下に冷却をした塩化カルシウムを使用して、−３０℃以下に冷却をしている塩化カルシウムを、高温状態にて暴走をしている核燃料と、直接に接触をさせ、循環させて、高温状態にて暴走をしている核燃料を、超低温状態の塩化カルシウムを使用して、１００℃未満の常温状態に核燃料を冷却する構成とすることにより、水溶液を使用することなく高温状態の核燃料を冷却することが出来るので、汚染水の発生を減少、及び遮断することが出来ることになる。
【００２１】
さらに、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、−３０℃以下に冷却をした塩化カルシウム、不凍液、又はその他の冷却をした冷媒（以下、略して、塩化カルシウム、又は不凍液とする）を使用して、核燃料が臨界に到達をして、高温状態にて暴走をしている核燃料を、−３０℃以下に冷却をした塩化カルシウムを使用して冷却をすることにより、核燃料を収納している原子力建屋を中心として、原子力建屋を取り囲み、原子力建屋の周囲の土を凍結して壁状の凍土壁を造る。この凍土壁の内側の部分を全面的に、高温状態にて暴走をしている核燃料を、水溶液を使用して冷却をしないで、−３０℃以下に冷却をした塩化カルシウムを使用して冷却をすることにより、原子力建屋を中心として建設をする凍土壁の内側の部分にある、全ての水溶液を全面的に凍結することが出来るので、下記の（１）から（７）の利点がある。
【００２２】
（１）の利点としては、高温状態にて暴走をしている核燃料を、−３０℃以下に冷却をした塩化カルシウム、又は不凍液（以下、略して、塩化カルシウムとする）を使用して、冷却をすることにより、完全密封方式の閉鎖循環冷却方式にて、高温状態にて暴走をしている核燃料を、３０℃以下の低温状態に冷却をすることが出来る利点がある。
【００２３】
（２）の利点としては、高温状態にて暴走をしている核燃料を、−３０℃以下に冷却をした塩化カルシウムを使用して冷却をすることにより、完全密封方式の閉鎖循環冷却方式にて、高温状態にて暴走をしている核燃料の表面温度を、極く低い温度、例えば、−３０℃前後の低温まで冷却をすることが出来るので、放射線の発生量を減少させることが出来る利点がある。
【００２４】
（３）の利点としては、高温状態にて暴走をしている核燃料を、−３０℃以下に冷却をした塩化カルシウムを使用して冷却をすることにより、多量の水溶液を使用して冷却をしなくてもよいので、汚染水の発生を一切遮断することが出来る利点がある。
【００２５】
（４）の利点としては、高温状態にて暴走をしている核燃料を、−３０℃以下に冷却をした塩化カルシウムを使用して冷却をすることにより、原子炉建屋内部の汚染水、及びタービン建屋などの地下にある高濃度の汚染水の、全ての汚染水を、−３０℃以下に凍結して氷結をするので、高濃度の汚染水の流出を一切遮断することが出来る利点がある。
【００２６】
（５）の利点としては、高温状態にて暴走をしている核燃料を、水溶液を使用して冷却をしなくて、−３０℃以下に冷却をしている塩化カルシウムを使用して核燃料を冷却するので、原子炉建屋を中心として、塩化カルシウムの凝固点である、−３０℃前後の温度まで、原子炉建屋を中心として、原子炉建屋の外周に建設をする凍土壁までの部分にある、全ての水溶液を全面的に、−３０℃前後の温度に凍結をすることが出来ることになるので、原子炉建屋に流れ込む地下水の流入、及び海洋への汚染水の漏洩を一切遮断することが出来る利点がある。
【００２７】
（６）の利点としては、原子炉建屋を中心として、原子炉建屋の外周に建設をする凍土壁までの部分、及び地中部分を全面的に、−３０℃以下の温度まで低下をさせて、原子炉建屋の周辺一帯を全面的に、−３０℃以下に凍結をすることにより、原子炉建屋の内部には、地下水が一切流入をすることが出来なくなる利点がある。
【００２８】
（７）の利点としては、原子炉建屋を中心として、原子炉建屋の外周に建設をする凍土壁までの部分、及び地中部分を全面的に、−３０℃以下の温度まで低下をさせて、原子炉建屋の周辺一帯を全面的に、−３０℃以下に凍結をすることにより、原子炉建屋、及び原子炉建屋の周辺部分を部分的に凍結するのとは異なり、原子炉建屋、及び原子炉建屋の周辺一帯、及び地中部分を全面的に、−３０℃以下に凍結をするので、凍土壁の内側の地層に含まれる水分も、全て凍結をすることになり、凍土壁の内側の地層に含まれる水分が減少をして、地盤沈下を招く恐れがなくなるので、原子炉建屋が地盤沈下を起こさなくなる利点がある。
【背景技術】
【００２９】
従来、原子力発電所が崩壊をして原子炉が亀裂を起こして、人体に与える放射能が強力な
ときには、人間が原子炉の近くに行くことが出来ないのが現状である。その理由は被爆を
するからである。
【発明の概要】
【発明が解決しようとする課題】
【００３０】
福島第一原子力発電所（以下、略して、フクイチ、又は福１とする）の、原子炉が破損をして、原子炉内部の核燃料が核分裂を起こし、臨界に到達をして暴走している。この暴走をしている核燃料は、3000℃前後の高温状態に上昇をしている。この核燃料を冷却するのに、水溶液を使用して冷却すると、放射能に汚染された放射能汚染水が、際限もなく増加をすることになる。この課題を解決することを目的とする。
【課題を解決するための手段】
【００３１】
前記目的を達成するために、本発明の構成は、福島第一原子力発電所（以下、略して、フクイチ、又は福１とする）の、原子炉が破損をして、原子炉内部の核燃料が核分裂を起こし、臨界に到達をして暴走している。この暴走をしている核燃料は、3000℃前後の高温状態に上昇をしている。この核燃料を冷却する目的にて、フクイチを構成している、原子炉の周辺一帯、及び原子炉の真下の部分を、全面的に、液化LNGの気化熱を、熱交換器機を使用して、引火性がなく、凝固点が低くて、危険性が全くない、フロン、又はアンモニア、又はその他の冷媒（以下、略して、フロンとする）に、液化LNGの気化熱と置換をしたフロンは、フロンの種類にもよるけれども、例えば、品名がフロン２２R（以下、略して、フロン２２R、又はフロンとする）は、−100℃以下の低温に、−162℃の液化ＬＮＧの気化熱を使用して冷却をすることが出来る。例えば、会社名  住友精密工業株式会社が製造している熱交換機を使用して、−162℃の液化LNGの気化熱を、−100℃以下のフロン２２Rに置換をして、フロン２２Rを−100℃以下の低温に効率よく冷却をすることが出来る。このー100℃以下に冷却をした、フロン２２Rを使用して、核燃料の周辺、及び原子炉の真下の部分を、間接的に、−100℃以下のフロン２２Rを使用して冷却をする。結果として、フクイチを構成している核燃料を、フクイチの外周、及び核燃料の真下の部分から、−100℃以下に冷却をしたフロン２２Rを使用して冷却をすることにより、高温状態の核燃料を、100℃未満の温度に低下させることを目的とする。
【発明の効果】
【００３２】
本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、−３０℃以下に冷却をした塩化カルシウム、不凍液、又はその他の冷却をした冷媒（以下、略して、塩化カルシウム、又は不凍液とする）を使用して、核燃料が臨界に到達をして、高温状態にて暴走をしている核燃料を、−３０℃以下に冷却をした塩化カルシウムを使用して冷却をすることにより、核燃料を収納している原子力建屋を中心として、原子力建屋を取り囲み、原子力建屋の周囲の土を凍結して壁状の凍土壁を造る。この凍土壁の内側の部分を全面的に、高温状態にて暴走をしている核燃料を、水溶液を使用して冷却をしないで、−３０℃以下に冷却をした塩化カルシウムを使用して冷却をすることにより、原子力建屋を中心として建設をする凍土壁の内側の部分にある、全ての水溶液を全面的に凍結することが出来るので、下記の（１）から（７）の利点がある。
【００３３】
（１）の利点としては、高温状態にて暴走をしている核燃料を、−３０℃以下に冷却をした塩化カルシウム、又は不凍液（以下、略して、塩化カルシウムとする）を使用して、冷却をすることにより、完全密封方式の閉鎖循環冷却方式にて、高温状態にて暴走をしている核燃料を、３０℃以下の低温状態に冷却をすることが出来る利点がある。
【００３４】
（２）の利点としては、高温状態にて暴走をしている核燃料を、−３０℃以下に冷却をした塩化カルシウムを使用して冷却をすることにより、完全密封方式の閉鎖循環冷却方式にて、高温状態にて暴走をしている核燃料の表面温度を、極く低い温度、例えば、−３０℃前後の低温まで冷却をすることが出来るので、放射線の発生量を減少させることが出来る利点がある。
【００３５】
（３）の利点としては、高温状態にて暴走をしている核燃料を、−３０℃以下に冷却をした塩化カルシウムを使用して冷却をすることにより、多量の水溶液を使用して冷却をしなくてもよいので、汚染水の発生を一切遮断することが出来る利点がある。
【００３６】
（４）の利点としては、高温状態にて暴走をしている核燃料を、−３０℃以下に冷却をした塩化カルシウムを使用して冷却をすることにより、原子炉建屋内部の汚染水、及びタービン建屋などの地下にある高濃度の汚染水の、全ての汚染水を、−３０℃以下に凍結して氷結をするので、高濃度の汚染水の流出を一切遮断することが出来る利点がある。
【００３７】
（５）の利点としては、高温状態にて暴走をしている核燃料を、水溶液を使用して冷却をしなくて、−３０℃以下に冷却をしている塩化カルシウムを使用して核燃料を冷却するので、原子炉建屋を中心として、塩化カルシウムの凝固点である、−３０℃前後の温度まで、原子炉建屋を中心として、原子炉建屋の外周に建設をする凍土壁までの部分にある、全ての水溶液を全面的に、−３０℃前後の温度に凍結をすることが出来ることになるので、原子炉建屋に流れ込む地下水の流入、及び海洋への汚染水の漏洩を一切遮断することが出来る利点がある。
【００３８】
（６）の利点としては、原子炉建屋を中心として、原子炉建屋の外周に建設をする凍土壁までの部分、及び地中部分を全面的に、−３０℃以下の温度まで低下をさせて、原子炉建屋の周辺一帯を全面的に、−３０℃以下に凍結をすることにより、原子炉建屋の内部には、地下水が一切流入をすることが出来なくなる利点がある。
【００３９】
（７）の利点としては、原子炉建屋を中心として、原子炉建屋の外周に建設をする凍土壁までの部分、及び地中部分を全面的に、−３０℃以下の温度まで低下をさせて、原子炉建屋の周辺一帯を全面的に、−３０℃以下に凍結をすることにより、原子炉建屋、及び原子炉建屋の周辺部分を部分的に凍結するのとは異なり、原子炉建屋、及び原子炉建屋の周辺一帯、及び地中部分を全面的に、−３０℃以下に凍結をするので、凍土壁の内側の地層に含まれる水分も、全て凍結をすることになり、凍土壁の内側の地層に含まれる水分が減少をして、地盤沈下を招く恐れがなくなるので、原子炉建屋が地盤沈下を起こさなくなる利点がある。
【００４０】
さらに、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化LNGの気化熱と塩化カルシウムとに、熱交換機を使用して置換をした塩化カルシウム、又はその他の冷却剤である冷媒（以下、略して、塩化カルシウム、又は冷媒とする）である塩化カルシウムなどを、例えば、−３０℃以下に冷却をした塩化カルシウムを使用して、核燃料が臨界に到達をして、高温状態にて暴走をしている核燃料を、１００℃未満の常温状態に冷却をするのに、−３０℃以下に冷却をした塩化カルシウムを使用して、−３０℃以下に冷却をしている塩化カルシウムを、高温状態にて暴走をしている核燃料と、直接に接触をさせ、循環させて、高温状態にて暴走をしている核燃料を、超低温状態の塩化カルシウムを使用して、１００℃未満の常温状態に核燃料を冷却する構成とすることにより、水溶液を使用することなく高温状態の核燃料を冷却することが出来るので、汚染水の発生を減少、及び遮断することが出来ることになる効果がある。
【００４１】
また、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、冷凍機を使用して圧縮して冷却をしたアンモニア、又はフロンなどの冷却をした冷媒と、熱交換機とを使用して置換をした塩化カルシウム、又はその他の冷却剤である冷媒（以下、略して、塩化カルシウム、又は冷媒とする）である塩化カルシウムなどを、例えば、−３０℃以下に冷却をした塩化カルシウムを使用して、核燃料が臨界に到達をして、高温状態にて暴走をしている核燃料を、１００℃未満の常温状態に冷却をするのに、−３０℃以下に冷却をした塩化カルシウムを使用して、−３０℃以下に冷却をしている塩化カルシウムを、高温状態にて暴走をしている核燃料と、直接に接触をさせ、循環させて、高温状態にて暴走をしている核燃料を、超低温状態の塩化カルシウムを使用して、１００℃未満の常温状態に核燃料を冷却する構成とすることにより、水溶液を使用することなく高温状態の核燃料を冷却することが出来るので、汚染水の発生を減少、及び遮断することが出来ることになる効果がある。
【００４２】
液化LNG（天然ガス）の気化熱を使用して、福島第一原子力発電所（以下、略して、フクイチ、又は福１とする）の外周に凍土壁を形成する冷却熱とするのであれば、夏場と冬場で、仙台市でのガスの消費量に相違がありますが、一日当たり、約400トン程度の、液化LNGの気化熱を、凍土壁を凍結するための目的の冷媒として使用をすることが出来る。
【００４３】
フクイチの外周に形成をする凍土壁を、液化LNGの気化熱から熱交換機を経由して、冷熱をフロン、又はアンモニアに置換をした冷熱を使用して凍結をするのであれば、下記の（1）から（5）のような利点がある。
【００４４】
（1）の利点としては、フロン、又はアンモニアなどの冷媒を、冷凍機械を使用して圧縮した、例えば、−50℃前後の、フロン、又はアンモニアを冷却した冷媒に比較をすると、冷却能力は、液化LNGの気化熱と置換をした冷熱のフロン、又はアンモニアを冷媒として使用したほうが、圧倒的に効率が高い利点がある。
【００４５】
（2）の利点としては、日量400トン前後の、液化LNGの気化熱で、凍土壁を維持するのが困難な場合には、千葉県袖ケ浦にある、東京ガスの液化LNG基地、又は新潟などにある、液化LNG基地、又はその他の液化LNG基地に、計画を変更すると、日量数千トン前後の、液化LNGの気化熱を冷媒として使用をすることが出来る利点がある。
【００４６】
（3）の利点としては、液化LNGの気化熱と置換をした冷熱のフロン、又はアンモニアを、フクイチの外周に形成をする、凍土壁を凍結する冷媒として使用をするのであれば、冷却能力が十分にあるので、フクイチを構成している、原子炉の側壁を含む、地域一帯の全域、及び原子炉の真下の部分を、例えば、−40℃以下に凍結が出来るので原子炉内部を、フクイチの側壁から、間接的に冷却をすることにより、原子炉内部を、例えば、100℃以内に冷却をすることが出来る利点がある。
【００４７】
（4）の利点としては、液化LNGの気化熱と置換をした冷熱のフロン、又はアンモニアを冷媒として、フクイチを構成している外周を、全面的に凍結をする冷媒として使用するのであれば、現在、水溶液を使用して、原子炉を冷却している水溶液は、全く必要性がなくなる利点がある。または、極く少量の水溶液だけの循環にて、原子炉を、100℃以内に冷却をすることが出来る利点がある。
【００４８】
（5）の利点としては、今後、フクイチを30年間から、100年間、現状の状態にて維持をしなくてはならない。また、長期間、汚染水を発生させないためには、液化LNGの気化熱と置換をした冷熱のフロン、又はアンモニアを使用して、原子炉を冷却することが、最も利点がある。
【００４９】
また、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をすることが出来る効果がある。
【００５０】
さらに、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をすることが出来る効果がある。
【００５１】
また、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に冷却をすることが出来る効果がある。
【００５２】
さらに、福島第一原子力発電所を構成している、原子炉（A)の真下の部分を凍結する目的にて、例えば、原子炉（A)の真下の、地下100ｍから地下150ｍ位の中間の地中を凍結するために、液化LNGの気化熱と置換をした、冷熱のフロン、又はアンモニアを循環させるための鋼管（Z)をコイル状に多数配管をして、原子炉（A）の真下に位置をする地中を、−40℃以下の温度にて凍結をすることにより、核燃料が臨界に到達して、核分裂を起こしている。この核分裂を起こしている中心部分の温度は、3000℃前後の高い温度となっている。この核分裂を起こしている高い温度の熱源を冷却する目的にて、原子炉（A)の真下の部分を凍結することにより、原子炉（A)の内部温度を低下させて、核燃料がメルトダウン（以下、略して、炉心溶融とする）を起こして、地球の地中深く落下をして、広島型原爆の数百万倍の核燃料が、大爆発を起こすことにより、日本列島沈没、及び近隣諸外国にも膨大な被害を与えるのを阻止することが出来る効果がある。
【００５３】
また、福島第一原子力発電所、又は原子炉、又は核燃料、又は圧力容器、又は格納容器、又はトレンチ、又はその他の原子力発電所を構成している施設（以下、略して、原子力発電所、又は福１原子力発電所とする）が崩壊をして原子炉内部の核分裂を制御することが出来ない場合の原子炉の冷却をする目的にて、福１原子力発電所を中心として、福１原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を氷結するか、又は、原子力発電所を中心として、原子力発電所の外周を、−４０℃以下の超低温に凍結をした凍結層（以下、略して、氷結層、又は凍結層、又は凍土壁、又は遮水壁とする）を形成して、福１原子力発電所の外周から、原子炉内部にて核分裂を起こしている。例えば、３０００℃前後の、高温状態に核分裂を起こしている核燃料を冷却することが出来る効果がある。
【００５４】
さらに、福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を凍結するか、又は、原子力発電所を中心として、福１原子力発電所の外周を、−４０℃以下の超低温に凍結をした凍結層（以下、略して、氷結層、又は凍結層、又は凍土壁、又は遮水壁とする）を形成して、福１原子力発電所の外周から、原子炉内部にて核分裂を起こしている。例えば、３０００℃前後の、高温状態に核分裂を起こしている、原子炉内部の核燃料を、福１原子力発電所の外周を、−４０℃以下の超低温に冷却をして、原子力発電所の外周に凍土壁を形成することにより、福１原子力発電所の外周の外側から、福１原子力発電所の中心部分に位置をしている、原子炉内部にて高温状態に核分裂を起こしている。原子炉内部の核燃料を、福１原子力発電所の外周の外側から、間接的に、原子炉内部の方向に向かって徐々に冷却をすることが出来る効果がある。
【００５５】
また、福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を凍結するか、又は、原子力発電所を中心として、福１原子力発電所の外周を、−４０℃以下の超低温に凍結をした凍結層（以下、略して、氷結層、又は凍結層、又は凍土壁、又は遮水壁とする）を形成して、原子炉内部にて核分裂を起こしている。例えば、３０００℃前後の、高温状態に核分裂を起こしている核燃料を冷却するために使用をしている水溶液（以下、略して、汚染水、又は放射能汚染水とする）が、福１原子力発電所の外部に流出するのを防止する目的にて、福１原子力発電所を中心として、福１原子力発電所の外周の地中を、−４０℃以下の超低温に凍結して凍土壁を形成して、放射能汚染水の流出を遮断することが出来る効果がある。
【００５６】
さらに、福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を凍結するか、又は、福１原子力発電所を中心として、福１原子力発電所の外周を、−４０℃以下の超低温に凍結をした凍結層（以下、略して、氷結層、又は凍結層、又は凍土壁、又は遮水壁とする）を、福１原子力発電所を中心として、福１原子力発電所の外周に凍土壁を形成することにより、福１原子力発電所の外部から、福１原子力発電所の内部に浸入、及び流入をする水溶液を遮断することが出来ることを特徴とする福１原子力発電所の内部に外部からの水溶液が浸入、及び流入をすることを防止することが出来る効果がある。
【００５７】
また、福島第一原子力発電所の核燃料Rを収納している圧力容器Kを中心として、圧力容器Kの外周を包み込む形状をした格納容器Lが水漏れ、又は破損した状態の格納容器Lを、格納容器Lの外周を、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０度C以下の超低温状態に凍結して、格納容器Lからの水漏れ、又は破損部分N、又は水漏れ、又は破損部分Oを修復することを特徴とする原子力発電所の水漏れ、又は亀裂、又は破損を修復することが出来る効果がある。
【００５８】
さらに、福島第一原子力発電所の原子炉が破損をして、高濃度放射能汚染水（以下、略して、汚染水とする)が、敷地海岸側の地下道(以下、略して、トレンチとする)を経由して、海側に漏れ出している、トレンチ内部の汚染水を、例えば、−４０℃以下に、原子炉が破損をして原子炉の延長線上にある、トレンチの内部を凍結して、原子炉からの汚染水が海水中に漏れ出すのを防止することを特徴とする、原子炉から汚染水が海水中に漏れ出すのを防止することが出来る効果がある。
【００５９】
また、福島第一原子力発電所の外周を、例えば、−４０℃以下に氷結、又は凍結、又は氷結をした部分（以下、略して、氷結、又は凍結、又は氷結部分、又は氷結層、又は凍土壁、又は遮水壁とする）を形成して、福島第一原子力発電所を中心として、放射能に汚染をされた水溶液、又はその他の水溶液（以下、略して、水溶液、又は地下水とする）の流出、及び流入をする地下水の動きを、福島第一原子力発電所を中心として、その外周を、−４０℃以下に凍結して凍土壁を形成して、地下水を固体の状態に凍結をすることにより、福島第一原子力発電所を中心として、その外周の地下水の流出、及び流入の動きを、−４０℃以下に凍結をしている凍土壁にて、完全に遮断をすることが出来る効果がある。
【００６０】
さらに、福島第一原子力発電所の外周を包み込む形状に、例えば、−４０℃以下に凍結、又は凍結をした部分（以下、略して、氷結、又は氷結部分、又は氷結層、又は凍土壁、又は遮水壁とする）を形成して、福島第一原子力発電所の内部から、放射能に汚染をされた汚染水が、福島第一原子力発電所から外部に漏れ出すのを遮断する。さらに、外部要因によって起こる津波、又は風雪、又は大雨などの自然災害によって、福島第一原子力発電所の外周、又は外部、又は周辺、又は周辺部分から押し寄せる水溶液、又は地下水を、−４０℃以下に氷結をした氷結層、又は凍土壁を、福島第一原子力発電所の外周を包み込む形状に形成をして、福島第一原子力発電所の内部から放射能に汚染をされた汚染水が外部に流出をするのを遮断する。または、自然災害などの影響によって発生をした雨水、又はその他の要因によって発生をした水溶液、又は地下水が福島第一原子力発電所の内部に浸入して浸水するのを、福島第一原子力発電所の外周を包み込む形状に形成をしている凍結層、又は凍土壁にて、汚染水、及び水溶液、又は地下水の浸入、及び流出を、−４０℃以下に凍結をした凍結層、又は凍土壁にて遮断をすることが出来る効果がある。
【００６１】
また、福島第一原子力発電所にて発生をした放射能汚染水を、フリーズドライ製法を使用して、水溶液、又は純水と、例えば、含水量が２％前後の乾燥状態であり、固型物の状態の放射性物質と、水分と、トリチウムとを凍結濃縮するのに、−１６２℃の液化LNGの気化熱と置換をした、フロン、又はアンモニア、又は液化カルシウム、又はその他の冷媒（以下、略して、フロン、又は液化カルシウムとする）と置換をした冷熱を、フリーズドライ製法の冷熱の熱源とすると、安価なコストにてフリーズドライ製法の冷熱として多量に供給をすることが出来る効果がある。
【００６２】
さらに、福島第一原子力発電所に於いて、放射能に汚染をされた放射能汚染水（以下、略して、汚染水とする）を精製して、放射能に汚染をされた汚染物質（以下、略して、放射能汚染物質とする）と、１００％純粋な純水に近似の純水とに分離をする目的のために、放射能汚染水を、フリーズドライ製法を使用して、放射能汚染水を放射能汚染物質と、水分と、トリチウムとを凍結濃縮するのに、−１６２℃の液化LNGの気化熱と置換をした、フロン、又はアンモニア、又は液化カルシウム、又はその他の冷媒（以下、略して、フロン、又は液化カルシウムとする）と置換をした冷熱を、フリーズドライ製法の冷熱の熱源とすると、安価なコストにてフリーズドライ製法の冷熱として多量に供給をすることが出来る効果がある。
【００６３】
また、福島第一原子力発電所に於いて、放射能汚染水（以下、略して、汚染水とする）を、含水量が2％前後の乾燥状態の放射能に汚染されている物質(以下、略して、放射能汚染物質とする)と、放射性物質を極く微量含有をしている。けれども、極く近似の純水に近い水溶液(以下、略して、水溶液とする)とに分離をする目的のために、放射能汚染水を、フリーズドライ製法を使用して、例えば、含水量が2％前後の乾燥状態の放射能汚染物質と、放射能汚染水が含有をしている水分と、トリチウムとを凍結濃縮するのに、−１６２℃の液化LNGの気化熱と置換をした、フロン、又はアンモニア、又は液化カルシウム、又はその他の冷媒（以下、略して、フロン、又は液化カルシウムとする）と置換をした冷熱を、フリーズドライ製法の冷熱の熱源とすると、安価なコストにてフリーズドライ製法の冷熱として多量に供給をすることが出来る効果がある。
【００６４】
さらに、福島第一原子力発電所に於いて、放射能に汚染をされた放射能汚染水（以下、略して、汚染水とする）を、例えば、第１の加工手段としては、長さ方向が１００ｃｍで、横巾が６０ｃｍで、高さが３５ｃｍの長方形状をした容器の内部に汚染水を入れて、−４０℃以下の温度にて凍結して製氷をする。第２の加工手段としては、−４０℃以下の温度にて凍結して氷結をした汚染水の固形物を、−４０℃以下に、凍結状態を維持している状態にて、−１００キロパスカル以下、又は三重点の６１０．６Ｐａ以下(以下、略して、６１０．６Ｐａとする)の超真空状態にて、約２４時間以上、超真空状態（以下、略して、フリーズドライ製法とする）を維持して、放射能汚染水が含有をしている水分と、トリチウムとを凍結濃縮するのに、−１６２℃の液化LNGの気化熱と置換をした、フロン、又はアンモニア、又は液化カルシウム、又はその他の冷媒（以下、略して、フロン、又は液化カルシウムとする）と置換をした冷熱を、フリーズドライ製法の冷熱の熱源とすると、安価なコストにてフリーズドライ製法の冷熱として多量に供給をすることが出来る効果がある。
【００６５】
また、福島第一原子力発電所に於いて、放射能汚染水（以下、略して、汚染水とする）が含有をしている放射性物質は、セシウム、ストロンチウム、プルトニウム、及びトリチウムの化合物(以下、略して、トリチウムとする)などの６３種類の放射性物質が含まれているが、このうち６２種類は、ゼオライト、及び活性炭などの吸着剤を使用して、低い濃度まで除去をすることが出来る。けれども、トリチウムの化合物だけは吸着剤を使用して除去をすることが出来ないでいる。しかしながら、トリチウムの化合物を、放射能汚染水から分離をするのに、放射能汚染水を、例えば、０℃以下に凍結して氷結をすると、放射能汚染水が含有をしている水溶液、又は純水(以下、略して、水溶液、又は純水とする)は、０℃以下にて凍結して氷結をすると、固体の固型物となる。けれども、放射能汚染水が含有をしている、トリチウムの化合物は、水溶液、又は純水とは氷結点、又は凝固点(以下、略して、凝固点とする)が異なる。この凝固点が大きく異なる相違点の現象を利用して、放射能汚染水が含有をしている水溶液、又は純水と、トリチウムの化合物とを、分離することが出来る効果がある。
【００６６】
さらに、福島第一原子力発電所に於いて、放射能に汚染をされた汚染水、又は水溶液、又は地下水（以下、略して、水溶液、又は地下水、又は汚染水、又は放射能汚染水とする）を、汚染水の状態にて、長期間、多量に汚染水を保管することが困難なので、例えば、−４０℃以下の低温にて、汚染水を凍結して氷結して氷の固まりの固形物である。例えば、長さ方向が１００ｃｍで、横巾が６０ｃｍで、高さが３５ｃｍの長方形状に製氷をして、−４０℃以下の冷凍庫の内部にて、長期間、保管をすることが出来る効果がある。
【００６７】
また、福島第一原子力発電所を中心として建設をする凍土壁を凍結する冷媒として、膨大な冷熱を安価にて供給をすることが出来る、−１６２℃の液化ＬＮＧの気化熱を使用して凍土壁を凍結することが出来る効果がある。
【００６８】
さらに、福島第一原子力発電所を中心として建設をする凍土壁を凍結する冷媒として、福島第一原子力発電所から５０ｋｍ程度の距離にある、仙台市ガス局から−１６２℃の液化ＬＮＧの供給を受けて凍土壁を凍結することが出来る効果がある。
【００６９】
また、福島第一原子力発電所を中心として建設をする凍土壁を凍結する冷媒として、仙台市ガス局から−１６２℃の液化ＬＮＧの供給を受け、気化熱を使用して凍土壁を凍結したあとの、気化をしたＬＮＧの気化のガスは、仙台市ガス局に送り返すことが出来る効果がある。
【００７０】
さらに、高温状態にて発熱をしている核燃料を冷却するのに、−１６２℃の液化ＬＮＧの気化熱を塩化カルシウム、又は不凍液、又はその他の冷媒（以下、略して、塩化カルシウムとする）と置換をした、−３０℃以下に冷却をした塩化カルシウムと核燃料とを、直接に接触をさせて核燃料を冷却することが出来る効果がある。
【００７１】
また、汚染水の発生を一切遮断する目的にて、高温状態にて発熱をしている核燃料を冷却するのに水溶液を一切使用しなくて、核燃料を冷却する目的のために、福島第一原子力発電所の原子炉の内部にて、高温状態にて発熱をしている核燃料を冷却するのに、−１６２℃の液化ＬＮＧの気化熱を塩化カルシウム、又は不凍液、又はその他の冷媒（以下、略して、塩化カルシウム、又は冷媒とする）と置換をした、−３０℃以下に冷却をしている塩化カルシウム、又は冷媒とを、直接に核燃料と接触をさせて、高温状態にて発熱をしている核燃料と、−３０℃以下に冷却をした塩化カルシウム、又は冷媒とを、直接に接触をさせて、高温状態にて発熱をしている核燃料を、−３０℃以下に冷却をしている塩化カルシウム、又は冷媒を使用して冷却をすることが出来る効果がある。
【００７２】
さらに、福島第一原子力発電所を中心として、建屋の外周に地下水が建屋に流れ込むのを防止するために、総延長が１,４００ｍもの凍土壁を建設する。この凍土壁を凍結するのに、膨大な冷熱を安価に供給することが出来る、−１６２℃の液化ＬＮＧの気化熱をフロン、又は塩化カルシウム、又はその他の冷媒と置換をした冷熱を使用して凍土壁を凍結することが出来る効果がある。
【００７３】
また、福島第一原子力発電所を中心として、地下水が建屋に流れ込むのを防止することを目的とする。または、汚染水が建屋から漏洩するのを防止する目的にて、建屋の外周に建設する凍土壁を凍結するのに、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して凍土壁を凍結することが出来る効果がある。
【００７４】
さらに、汚染水が溜まった地下坑道（トレンチ）を凍結する場合、汚染水はタービン建屋から地下坑道に流れ込んだ後、地下坑道から海洋に汚染水が漏洩をしている。この漏洩をしている汚染水は流速があり、流速が冷却熱を奪って流出をしている汚染水が流れ出している、この地下坑道を凍結する場合、冷媒として、膨大な冷熱を安価に供給することが出来る、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して冷却することにより、汚染水が流れ出している地下坑道を凍結することが出来る効果がある。
【００７５】
また、原子炉配管から漏水をしている、高濃度に汚染をされた汚染水、例えば、原子炉を貫く配管の蛇腹部分から冷却水が漏れ出している漏洩水を止めるのに、水溶液を使用して冷却をする代わりとして、−１６２℃の液化ＬＮＧの気化熱を塩化カルシウム、又はその他の冷媒（以下、略して、塩化カルシウムとする）と置換をした、−３０℃以下に冷却をした塩化カルシウムを、直接に冷却剤の冷媒として使用して、原子炉を貫く配管の蛇腹部分から冷却水が漏れ出している漏洩水を、−３０℃以下に冷却をした塩化カルシウムを、直接に冷却剤の冷媒として使用して冷却をすることにより、結果として、漏洩水を凍結して、原子炉を貫く配管の蛇腹部分から冷却水が漏れ出している漏洩水を氷結することにより、蛇腹部分から冷却水が漏れ出している漏洩水を止めることが出来る効果がある。
【００７６】
さらに、格納容器が破損して水漏れを起こしている破損部分を修復して、格納容器からの水漏れを止めるのに、水溶液を使用して冷却をする代わりとして、−１６２℃の液化ＬＮＧの気化熱と置換をした塩化カルシウムを、−３０℃以下に冷却をした塩化カルシウムを、直接に冷却剤の冷媒として使用して、格納容器が破損して水漏れを起こしている水溶液を凍結することにより、結果として、破損部分を修復して、格納容器からの水漏れを氷結することにより、格納容器からの水漏れを止めることが出来る効果がある。
【００７７】
また、原子炉の内部にて、高温状態にて発熱をしている核燃料を冷却するのに、例えば、−３０℃以下に冷却をした塩化カルシウム、又は不凍液、又は冷媒（以下、略して、塩化カルシウムとする）を使用して、核燃料を冷却することにより、原子炉を貫く配管の蛇腹部分が損傷をして、冷却水が水漏れを起こしている損傷部分、又は格納容器が破損をして水漏れを起こしている破損部分からの漏洩水を止めることが出来る効果がある。
【図面の簡単な説明】
【００７８】
【図１】図1に示しているのは、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をしている縦断面図を、図1に示している。
【図２】図2に示しているのは、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をしている平面図を、図2に示している。
【図３】図3に示しているのは、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をしている縦断面図を、図3に示している。
【図４】図4に示しているのは、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をしている平面図を、図4に示している。
【図５】図5に示しているのは、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に冷却をしている。さらに、福島第一原子力発電所を構成している、原子炉（A)の真下の部分を凍結する目的にて、例えば、原子炉（A)の真下の、地下100ｍから地下150ｍ位の中間の地中を凍結するために、液化LNGの気化熱と置換をした、冷熱のフロン、又はアンモニアを循環させるための鋼管（Z)をコイル状に多数配管をして、原子炉（A）の真下に位置をする地中を、−40℃以下の温度にて凍結をすることにより、核燃料が臨界に到達して、核分裂を起こしている。この核分裂を起こしている中心部分の温度は、3000℃前後の高い温度となっている。この核分裂を起こしている高い温度の熱源を冷却する目的にて、原子炉（A)の真下の部分を凍結することにより、原子炉（A)の内部温度を低下させて、核燃料がメルトダウン（以下、略して、炉心溶融とする）を起こして、地球の地中深く落下をして、広島型原爆の数百万倍の核燃料が、大爆発を起こすことにより、日本列島沈没、及び近隣諸外国にも膨大な被害を与えるのを阻止している縦断面図を、図5に示している。
【図６】図6に示しているのは、福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に冷却をしている。さらに、福島第一原子力発電所を構成している、原子炉（A)の真下の部分を凍結する目的にて、例えば、原子炉（A)の真下の、地下100ｍから地下150ｍ位の中間の地中を凍結するために、液化LNGの気化熱と置換をした、冷熱のフロン、又はアンモニアを循環させるための鋼管（Z)をコイル状に多数配管をして、原子炉（A）の真下に位置をする地中を、−40℃以下の温度にて凍結をすることにより、核燃料が臨界に到達して、核分裂を起こしている。この核分裂を起こしている中心部分の温度は、3000℃前後の高い温度となっている。この核分裂を起こしている高い温度の熱源を冷却する目的にて、原子炉（A)の真下の部分を凍結することにより、原子炉（A)の内部温度を低下させて、核燃料がメルトダウン（以下、略して、炉心溶融とする）を起こして、地球の地中深く落下をして、広島型原爆の数百万倍の核燃料が、大爆発を起こすことにより、日本列島沈没、及び近隣諸外国にも膨大な被害を与えるのを阻止している平面図を、図6に示している。
【図７】図7に示しているのは、仙台市ガス局港工場、又は東京ガス千葉工場から液化LNGを、高圧パイプラインを使用して、福島第一原子力発電所（以下、略して、フクイチ、福１とする）に送り、−162℃の、液化LNGの気化熱と置換をした冷熱のフロン、又はアンモニアを使用して、フクイチを構成している、原子炉の周辺の一帯、及び原子炉の真下の部分を、全面的に凍結をする。その後、液化LNGが気化をしたLNG気化ガスを、仙台市ガス局港工場、又は東京ガス千葉工場に送り返している概略図を、図7に示している。
【図８】図8に示しているのは、例えば、ブルネイ国から、液化LNG専用船にて輸入をした、積載量が8000トンの液化LNG専用船を、フクイチの岸壁に接岸をして、フクイチの隣接地に設置をしている、内容量が8000トン入りの、高圧の液化LNGタンクに移送をしている。その後、この液化LNGの気化熱と置換をした冷熱のフロン、又はアンモニアを使用して、フクイチを構成している、原子炉の周辺一帯、及び原子炉の真下の部分を、全面的に凍結をする。その後、液化LNGが気化をしたLNG気化ガスを、仙台市ガス局港工場、又は東京ガス千葉工場に送り返している概略図を、図8に示している。
【発明を実施するための形態】
【実施例１】
【００７９】
福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をすることを実施例１とする。
【実施例２】
【００８０】
福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に、100℃未満の温度に冷却をすることを実施例２とする。
【実施例３】
【００８１】
福島第一原子力発電所（以下、略して、フクイチ、又は福１とする）の外周部分に、福１の高さと同じ位の高さ、又はそれ以上の構造物（T）を形成して、この構造物（T）の内部に真砂土（V）と水溶液（W）とを混合して入れた、構造物（T）の内部に、錆に強いニッケルが主成分で出来ている、オーストナイト系の鋼管（Z）をコイル状に多数配管をして、この鋼管（Z）の内部を、−162℃の液化LNGの気化熱から熱交換機を経由して、冷熱をフロン、又はアンモニアに置換をした、冷熱のフロン、又はアンモニアを構造物（T)の内部に循環させて、構造物（T）の内部に入れている真砂土（V）を、−162℃の液化LNGの気化熱と置換をした、冷熱のフロン、又はアンモニアを使用して、福１を構成している原子炉（A）と接触をしている、構造物（T)の内部に入れている真砂土（V）を、−40℃以下の温度にて凍結をして、福１を構成している原子炉（A）の内部温度を、100℃未満の温度に低下をさせる目的にて、原子炉（A)と接触をしている、構造物（T)の内部に入れている真砂土（V）を、−40℃以下の温度にて凍結をすることにより、原子炉の側壁を冷却することになる。結果として、原子炉内部の内部温度を、間接的に冷却をすることを実施例３とする。
【実施例４】
【００８２】
福島第一原子力発電所を構成している、原子炉（A)の真下の部分を凍結する目的にて、例えば、原子炉（A)の真下の、地下100ｍから地下150ｍ位の中間の地中を凍結するために、液化LNGの気化熱と置換をした、冷熱のフロン、又はアンモニアを循環させるための鋼管（Z)をコイル状に多数配管をして、原子炉（A）の真下に位置をする地中を、−40℃以下の温度にて凍結をすることにより、核燃料が臨界に到達して、核分裂を起こしている。この核分裂を起こしている中心部分の温度は、3000℃前後の高い温度となっている。この核分裂を起こしている高い温度の熱源を冷却する目的にて、原子炉（A)の真下の部分を凍結することにより、原子炉（A)の内部温度を低下させて、核燃料がメルトダウン（以下、略して、炉心溶融とする）を起こして、地球の地中深く落下をして、広島型原爆の数百万倍の核燃料が、大爆発を起こすことにより、日本列島沈没、及び近隣諸外国にも膨大な被害を与えるのを阻止することが出来ることを特徴とする核分裂を人為的に制御することが出来ることを実施例４とする。
【実施例５】
【００８３】
福島第一原子力発電所、又は原子炉、又は核燃料、又は圧力容器、又は格納容器、又はトレンチ、又はその他の原子力発電所を構成している施設（以下、略して、原子力発電所、又は福１原子力発電所とする）が崩壊をして原子炉内部の核分裂を制御することが出来ない場合の原子炉の冷却をする目的にて、福１原子力発電所を中心として、福１原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を氷結するか、又は、原子力発電所を中心として、原子力発電所の外周を、−４０℃以下の超低温に凍結をした凍結層（以下、略して、氷結層、又は凍結層、又は凍土壁、又は遮水壁とする）を形成して、福１原子力発電所の外周から、原子炉内部にて核分裂を起こしている。例えば、３０００℃前後の、高温状態に核分裂を起こしている核燃料を冷却することを実施例５とする。
【実施例６】
【００８４】
福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を凍結するか、又は、原子力発電所を中心として、福１原子力発電所の外周を、−４０℃以下の超低温に凍結をした凍結層（以下、略して、氷結層、又は凍結層、又は凍土壁、又は遮水壁とする）を形成して、福１原子力発電所の外周から、原子炉内部にて核分裂を起こしている。例えば、３０００℃前後の、高温状態に核分裂を起こしている、原子炉内部の核燃料を、福１原子力発電所の外周を、−４０℃以下の超低温に冷却をして、原子力発電所の外周に凍土壁を形成することにより、福１原子力発電所の外周の外側から、福１原子力発電所の中心部分に位置をしている、原子炉内部にて高温状態に核分裂を起こしている。原子炉内部の核燃料を、福１原子力発電所の外周の外側から、間接的に、原子炉内部の方向に向かって徐々に冷却をすることを実施例６とする。
【実施例７】
【００８５】
福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を凍結するか、又は、原子力発電所を中心として、福１原子力発電所の外周を、−４０℃以下の超低温に凍結をした凍結層（以下、略して、氷結層、又は凍結層、又は凍土壁、又は遮水壁とする）を形成して、原子炉内部にて核分裂を起こしている。例えば、３０００℃前後の、高温状態に核分裂を起こしている核燃料を冷却するために使用をしている水溶液（以下、略して、汚染水、又は放射能汚染水とする）が、福１原子力発電所の外部に流出するのを防止する目的にて、福１原子力発電所を中心として、福１原子力発電所の外周の地中を、−４０℃以下の超低温に凍結して凍土壁を形成して、放射能汚染水の流出を遮断することが出来ることを実施例７とする。
【実施例８】
【００８６】
福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０℃以下に地中を凍結するか、又は、福１原子力発電所を中心として、福１原子力発電所の外周を、−４０℃以下の超低温に凍結をした凍結層（以下、略して、氷結層、又は凍結層、又は凍土壁、又は遮水壁とする）を、福１原子力発電所を中心として、福１原子力発電所の外周に凍土壁を形成することにより、福１原子力発電所の外部から、福１原子力発電所の内部に浸入、及び流入をする水溶液を遮断することが出来ることを特徴とする福１原子力発電所の内部に外部からの水溶液が浸入、及び流入をすることを防止することが出来ることを実施例８とする。
【実施例９】
【００８７】
福島第一原子力発電所の核燃料Rを収納している圧力容器Kを中心として、圧力容器Kの外周を包み込む形状をした格納容器Lが水漏れ、又は破損した状態の格納容器Lを、格納容器Lの外周を、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン、又はアンモニアに置換をした冷熱を使用して、原子炉の周辺、及び原子炉の真下の部分を冷却することを目的にて、例えば、−４０度C以下の超低温状態に凍結して、格納容器Lからの水漏れ、又は破損部分N、又は水漏れ、又は破損部分Oを修復することが出来ることを実施例９とする。
【実施例１０】
【００８８】
高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化LNGの気化熱と塩化カルシウムとに、熱交換機を使用して置換をした塩化カルシウム、又はその他の冷却剤である冷媒（以下、略して、塩化カルシウム、又は冷媒とする）である塩化カルシウムなどを、例えば、−３０℃以下に冷却をした塩化カルシウムを使用して、核燃料が臨界に到達をして、高温状態にて暴走をしている核燃料を、１００℃未満の常温状態に冷却をするのに、−３０℃以下に冷却をした塩化カルシウムを使用して、−３０℃以下に冷却をしている塩化カルシウムを、高温状態にて暴走をしている核燃料と、直接に接触をさせ、循環させて、高温状態にて暴走をしている核燃料を、超低温状態の塩化カルシウムを使用して、１００℃未満の常温状態に核燃料を冷却する構成とすることにより、水溶液を使用することなく高温状態の核燃料を冷却することが出来るので、汚染水の発生を減少、及び遮断することが出来ることを実施例１０とする。
【実施例１１】
【００８９】
高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、冷凍機を使用して圧縮して冷却をしたアンモニア、又はフロンなどの冷却をした冷媒と、熱交換機とを使用して置換をした塩化カルシウム、又はその他の冷却剤である冷媒（以下、略して、塩化カルシウム、又は冷媒とする）である塩化カルシウムなどを、例えば、−３０℃以下に冷却をした塩化カルシウムを使用して、核燃料が臨界に到達をして、高温状態にて暴走をしている核燃料を、１００℃未満の常温状態に冷却をするのに、−３０℃以下に冷却をした塩化カルシウムを使用して、−３０℃以下に冷却をしている塩化カルシウムを、高温状態にて暴走をしている核燃料と、直接に接触をさせ、循環させて、高温状態にて暴走をしている核燃料を、超低温状態の塩化カルシウムを使用して、１００℃未満の常温状態に核燃料を冷却する構成とすることにより、水溶液を使用することなく高温状態の核燃料を冷却することが出来るので、汚染水の発生を減少、及び遮断することが出来ることを実施例１１とする。
【実施例１２】
【００９０】
福島第一原子力発電所に於いて、放射能に汚染をされた放射能汚染水（以下、略して、汚染水とする）を、例えば、第１の加工手段としては、長さ方向が１００ｃｍで、横巾が６０ｃｍで、高さが３５ｃｍの長方形状をした容器の内部に汚染水を入れて、−４０℃以下の温度にて凍結して製氷をする。第２の加工手段としては、−４０℃以下の温度にて凍結して氷結をした汚染水の固形物を、−４０℃以下に、凍結状態を維持している状態にて、−１００キロパスカル以下、又は三重点の６１０．６Ｐａ以下(以下、略して、６１０．６Ｐａとする)の超真空状態にて、約２４時間以上、超真空状態（以下、略して、フリーズドライ製法とする）を維持して、放射能汚染水が含有をしている水分と、トリチウムとを凍結濃縮するのに、−１６２℃の液化LNGの気化熱と置換をした、フロン、又はアンモニア、又は液化カルシウム、又はその他の冷媒（以下、略して、フロン、又は液化カルシウムとする）と置換をした冷熱を、フリーズドライ製法の冷熱の熱源とすると、安価なコストにてフリーズドライ製法の冷熱として多量に供給をすることが出来ることを実施例１２とする。
【実施例１３】
【００９１】
福島第一原子力発電所を中心として建設をする凍土壁を凍結する冷媒として、膨大な冷熱を安価にて供給をすることが出来る、−１６２℃の液化ＬＮＧの気化熱を使用して凍土壁を凍結することが出来ることを実施例１３とする。
【実施例１４】
【００９２】
福島第一原子力発電所を中心として建設をする凍土壁を凍結する冷媒として、福島第一原子力発電所から５０ｋｍ程度の距離にある、仙台市ガス局から−１６２℃の液化ＬＮＧの供給を受けて凍土壁を凍結することが出来ることを実施例１４とする。
【実施例１５】
【００９３】
福島第一原子力発電所を中心として建設をする凍土壁を凍結する冷媒として、仙台市ガス局から−１６２℃の液化ＬＮＧの供給を受け、気化熱を使用して凍土壁を凍結したあとの、気化をしたＬＮＧの気化のガスは、仙台市ガス局に送り返すことが出来ることを実施例１５とする。
【実施例１６】
【００９４】
高温状態にて発熱をしている核燃料を冷却するのに、−１６２℃の液化ＬＮＧの気化熱を塩化カルシウム、又は不凍液、又はその他の冷媒（以下、略して、塩化カルシウムとする）と置換をした、−３０℃以下に冷却をした塩化カルシウムと核燃料とを、直接に接触をさせて核燃料を冷却することが出来ることを実施例１６とする。
【実施例１７】
【００９５】
汚染水の発生を一切遮断する目的にて、高温状態にて発熱をしている核燃料を冷却するのに水溶液を一切使用しなくて、核燃料を冷却する目的のために、福島第一原子力発電所の原子炉の内部にて、高温状態にて発熱をしている核燃料を冷却するのに、−１６２℃の液化ＬＮＧの気化熱を塩化カルシウム、又は不凍液、又はその他の冷媒（以下、略して、塩化カルシウム、又は冷媒とする）と置換をした、−３０℃以下に冷却をしている塩化カルシウム、又は冷媒とを、直接に核燃料と接触をさせて、高温状態にて発熱をしている核燃料と、−３０℃以下に冷却をした塩化カルシウム、又は冷媒とを、直接に接触をさせて、高温状態にて発熱をしている核燃料を、−３０℃以下に冷却をしている塩化カルシウム、又は冷媒を使用して冷却をすることが出来ることを実施例１７とする。
【実施例１８】
【００９６】
福島第一原子力発電所を中心として、建屋の外周に地下水が建屋に流れ込むのを防止するために、総延長が１,４００ｍもの凍土壁を建設する。この凍土壁を凍結するのに、膨大な冷熱を安価に供給することが出来る、−１６２℃の液化ＬＮＧの気化熱をフロン、又は塩化カルシウム、又はその他の冷媒と置換をした冷熱を使用して凍土壁を凍結することが出来ることを実施例１８とする。
【実施例１９】
【００９７】
福島第一原子力発電所を中心として、地下水が建屋に流れ込むのを防止することを目的とする。または、汚染水が建屋から漏洩するのを防止する目的にて、建屋の外周に建設する凍土壁を凍結するのに、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して凍土壁を凍結することが出来ることを実施例１９とする。
【実施例２０】
【００９８】
汚染水が溜まった地下坑道（トレンチ）を凍結する場合、汚染水はタービン建屋から地下坑道に流れ込んだ後、地下坑道から海洋に汚染水が漏洩をしている。この漏洩をしている汚染水は流速があり、流速が冷却熱を奪って流出をしている汚染水が流れ出している、この地下坑道を凍結する場合、冷媒として、膨大な冷熱を安価に供給することが出来る、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して冷却することにより、汚染水が流れ出している地下坑道を凍結することが出来ることを実施例２０とする。
【実施例２１】
【００９９】
原子炉配管から漏水をしている、高濃度に汚染をされた汚染水、例えば、原子炉を貫く配管の蛇腹部分から冷却水が漏れ出している漏洩水を止めるのに、水溶液を使用して冷却をする代わりとして、−１６２℃の液化ＬＮＧの気化熱を塩化カルシウム、又はその他の冷媒（以下、略して、塩化カルシウムとする）と置換をした、−３０℃以下に冷却をした塩化カルシウムを、直接に冷却剤の冷媒として使用して、原子炉を貫く配管の蛇腹部分から冷却水が漏れ出している漏洩水を、−３０℃以下に冷却をした塩化カルシウムを、直接に冷却剤の冷媒として使用して冷却をすることにより、結果として、漏洩水を凍結して、原子炉を貫く配管の蛇腹部分から冷却水が漏れ出している漏洩水を氷結することにより、蛇腹部分から冷却水が漏れ出している漏洩水を止めることが出来ることを実施例２１とする。
【実施例２２】
【０１００】
格納容器が破損して水漏れを起こしている破損部分を修復して、格納容器からの水漏れを止めるのに、水溶液を使用して冷却をする代わりとして、−１６２℃の液化ＬＮＧの気化熱と置換をした塩化カルシウムを、−３０℃以下に冷却をした塩化カルシウムを、直接に冷却剤の冷媒として使用して、格納容器が破損して水漏れを起こしている水溶液を凍結することにより、結果として、破損部分を修復して、格納容器からの水漏れを氷結することにより、格納容器からの水漏れを止めることが出来ることを実施例２２とする。
【実施例２３】
【０１０１】
原子炉の内部にて、高温状態にて発熱をしている核燃料を冷却するのに、例えば、−３０℃以下に冷却をした塩化カルシウム、又は不凍液、又は冷媒（以下、略して、塩化カルシウムとする）を使用して、核燃料を冷却することにより、原子炉を貫く配管の蛇腹部分が損傷をして、冷却水が水漏れを起こしている損傷部分、又は格納容器が破損をして水漏れを起こしている破損部分からの漏洩水を止めることが出来ることを実施例２３とする。
【産業上の利用可能性】
【０１０２】
原子炉配管から漏水をしている、高濃度に汚染をされた汚染水、例えば、原子炉を貫く配管の蛇腹部分から冷却水が漏れ出している漏洩水を止めることが出来る可能性がある。
【０１０３】
また、格納容器が破損して水漏れを起こしている破損部分を修復して、格納容器からの水漏れを止めることが出来る可能性がある。
【０１０４】
さらに、原子炉の内部にて、高温状態にて発熱をしている核燃料を冷却するのに、例えば、−３０℃以下に冷却をした塩化カルシウム、又は不凍液、又は冷媒（以下、略して、塩化カルシウムとする）を使用して、核燃料を冷却することにより、原子炉を貫く配管の蛇腹部分が損傷をして、冷却水が水漏れを起こしている損傷部分、又は格納容器が破損をして水漏れを起こしている破損部分からの漏洩水を止めることが出来る可能性がある。
【０１０５】
また、原子炉を貫く配管の蛇腹部分が損傷をして、冷却水が水漏れを起こしている損傷部分、又は格納容器が破損をして水漏れを起こしている破損部分を、高温状態にて発熱をしている核燃料を冷却するのに、例えば、−３０℃以下に冷却をした塩化カルシウムを、冷却水の変わりに使用して核燃料を、塩化カルシウムを使用して核燃料を冷却することにより、下記の（１）から（４）のようなことが出来る可能性がある。
【０１０６】
（１）の可能性としては、原子炉を貫く配管の蛇腹部分が損傷をして、冷却水が水漏れを起こしている損傷部分を、−３０℃以下に冷却をした塩化カルシウムを使用して、高温状態にて発熱をしている核燃料を冷却することにより、原子炉を貫く配管の蛇腹部分が損傷をして水漏れを起こしている損傷部分から漏れ出している漏洩水の先端部分の水溶液を、−３０℃以下の氷点以下に冷却をして凍結することが出来ることになり、蛇腹部分の内側の内部からの水漏れを止めることが出来る可能性がある。
【０１０７】
（２）の可能性としては、格納容器が破損をして水漏れを起こしている破損部分を、−３０℃以下に冷却をした塩化カルシウムを使用して核燃料を冷却することにより、格納容器が破損をして水漏れを起こしている破損部分から水溶液を、−３０℃以下の氷点以下に水溶液を冷却して凍結することが出来るので、破損部分の内側の内部からの水漏れを止めることが出来る可能性がある。
【０１０８】
（３）の可能性としては、−３０℃以下に冷却をした塩化カルシウムを使用して格納容器、原子炉建屋、タービン建屋、及びその他の施設（以下、略して、格納容器、又は原子炉建屋とする）の内部を、−３０℃以下に冷却をした塩化カルシウムを使用して冷却することにより、原子炉建屋の内部には、地下水が建屋の内部に流れ込むことが出来なくなる。また、原子炉建屋、又はタービン建屋から、汚染水が海への漏洩を防止することが出来る可能性がある。
【０１０９】
（４）の可能性としては、−３０℃以下に冷却をした塩化カルシウムを使用して、高温状態にて暴走をしている核燃料を冷却すると、高温状態にて暴走をしている核燃料の表面上の温度は、−３０℃以下に冷却をした塩化カルシウムを使用する使用量の容量次第では、高温状態にて暴走をしている核燃料の表面温度を、−３０℃以下に冷却をすることが出来ることになる。高温状態にて暴走をしている核燃料の表面温度を、−３０℃以下に冷却をすることが出来ると、放射性物質の発生が、限りなく０に近くなるまでに減少をさせることが出来る。また、放射能に汚染をされた汚染水の発生も、限りなく０に近くなるまでに減少をさせることが出来ることになる。さらに、−３０℃以下に冷却をした塩化カルシウムを、高温状態にて暴走をしている核燃料を冷却する冷却剤として使用すると、完全密封方式の閉鎖循環冷却方式にて、高温状態にて暴走をしている核燃料の表面温度を、−３０℃以下に冷却をすることが出来ることになる。また、原子炉建屋の内部に浸入をする水溶液を逐次凍結することが出来るので、汚染水が原子炉建屋から海への漏洩を、限りなく０にすることが出来ることになる。さらに、高温状態にて暴走をしている核燃料の表面温度を、−３０℃以下に冷却をすると、核燃料の活性を、限りなく０にすることが出来ることになるので、放射性物質による汚染も、限りなく０にすることが出来ることになる可能性がある。
【０１１０】
高温状態にて暴走をしている核燃料を、０℃に冷却をした冷却水を使用して冷却をすることにより、完全密封方式の閉鎖循環冷却方式にて、高温状態にて暴走をしている核燃料を、０℃前後の低温状態に冷却をすることが出来る可能性がある。
【０１１１】
また、高温状態にて暴走をしている核燃料を、０℃に冷却をした冷却水を使用して冷却をすることにより、完全密封方式の閉鎖循環冷却方式にて、高温状態にて暴走をしている核燃料の表面温度を、極く低い温度、例えば、０℃前後の低温まで冷却をすることが出来るので、放射線の発生量を減少させることが出来る可能性がある。
【０１１２】
さらに、高温状態にて暴走をしている核燃料を、０℃に冷却をした冷却水を使用して冷却をすることにより、多量の水溶液を使用して冷却をしなくてもよいので、汚染水の発生を減少させることが出来る可能性がある。
【０１１３】
また、本発明は、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、−３０℃以下に冷却をした塩化カルシウム、不凍液、又はその他の冷却をした冷媒（以下、略して、塩化カルシウム、又は不凍液とする）を使用して、核燃料が臨界に到達をして、高温状態にて暴走をしている核燃料を、−３０℃以下に冷却をした塩化カルシウムを使用して冷却をすることにより、核燃料を収納している原子力建屋を中心として、原子力建屋を取り囲み、原子力建屋の周囲の土を凍結して壁状の凍土壁を造る。この凍土壁の内側の部分を全面的に、高温状態にて暴走をしている核燃料を、水溶液を使用して冷却をしないで、−３０℃以下に冷却をした塩化カルシウムを使用して冷却をすることにより、原子力建屋を中心として建設をする凍土壁の内側の部分にある、全ての水溶液を全面的に凍結することが出来るので、下記の（１）から（７）の利点がある。
【０１１４】
（１）の利点としては、高温状態にて暴走をしている核燃料を、−３０℃以下に冷却をした塩化カルシウム、又は不凍液（以下、略して、塩化カルシウムとする）を使用して、冷却をすることにより、完全密封方式の閉鎖循環冷却方式にて、高温状態にて暴走をしている核燃料を、３０℃以下の低温状態に冷却をすることが出来る利点がある。
【０１１５】
（２）の利点としては、高温状態にて暴走をしている核燃料を、−３０℃以下に冷却をした塩化カルシウムを使用して冷却をすることにより、完全密封方式の閉鎖循環冷却方式にて、高温状態にて暴走をしている核燃料の表面温度を、極く低い温度、例えば、−３０℃前後の低温まで冷却をすることが出来るので、放射線の発生量を減少させることが出来る利点がある。
【０１１６】
（３）の利点としては、高温状態にて暴走をしている核燃料を、−３０℃以下に冷却をした塩化カルシウムを使用して冷却をすることにより、多量の水溶液を使用して冷却をしなくてもよいので、汚染水の発生を一切遮断することが出来る利点がある。
【０１１７】
（４）の利点としては、高温状態にて暴走をしている核燃料を、−３０℃以下に冷却をした塩化カルシウムを使用して冷却をすることにより、原子炉建屋内部の汚染水、及びタービン建屋などの地下にある高濃度の汚染水の、全ての汚染水を、−３０℃以下に凍結して氷結をするので、高濃度の汚染水の流出を一切遮断することが出来る利点がある。
【０１１８】
（５）の利点としては、高温状態にて暴走をしている核燃料を、水溶液を使用して冷却をしなくて、−３０℃以下に冷却をしている塩化カルシウムを使用して核燃料を冷却するので、原子炉建屋を中心として、塩化カルシウムの凝固点である、−３０℃前後の温度まで、原子炉建屋を中心として、原子炉建屋の外周に建設をする凍土壁までの部分にある、全ての水溶液を全面的に、−３０℃前後の温度に凍結をすることが出来ることになるので、原子炉建屋に流れ込む地下水の流入、及び海洋への汚染水の漏洩を一切遮断することが出来る利点がある。
【０１１９】
（６）の利点としては、原子炉建屋を中心として、原子炉建屋の外周に建設をする凍土壁までの部分、及び地中部分を全面的に、−３０℃以下の温度まで低下をさせて、原子炉建屋の周辺一帯を全面的に、−３０℃以下に凍結をすることにより、原子炉建屋の内部には、地下水が一切流入をすることが出来なくなる利点がある。
【０１２０】
（７）の利点としては、原子炉建屋を中心として、原子炉建屋の外周に建設をする凍土壁までの部分、及び地中部分を全面的に、−３０℃以下の温度まで低下をさせて、原子炉建屋の周辺一帯を全面的に、−３０℃以下に凍結をすることにより、原子炉建屋、及び原子炉建屋の周辺部分を部分的に凍結するのとは異なり、原子炉建屋、及び原子炉建屋の周辺一帯、及び地中部分を全面的に、−３０℃以下に凍結をするので、凍土壁の内側の地層に含まれる水分も、全て凍結をすることになり、凍土壁の内側の地層に含まれる水分が減少をして、地盤沈下を招く恐れがなくなるので、原子炉建屋が地盤沈下を起こさなくなる利点がある。
【０１２１】
さらに、本発明は、福島第一原子力発電所（以下、略して、フクイチ、又は福１とする）の核燃料が臨界に到達をして、高温状態にて暴走をしている核燃料を、液化LNGの気化熱を塩化カルシウム、又はフロンなどの冷媒に置換をした冷熱を使用して、冷却水を０℃から５℃以下に冷却をした冷却水を使用して、核燃料を冷却することにより、高濃度に汚染をされた汚染水の発生を減少させることが出来る可能性がある。
【０１２２】
また、本発明は、福島第一原子力発電所（以下、略して、フクイチ、又は福１とする）の核燃料を収納している原子炉建屋を中心として、原子炉建屋の外周を、液化LNGの気化熱を塩化カルシウム、又はフロン、又はその他の冷媒（以下、略して、冷媒とする）に置換をした冷熱を使用して、原子炉建屋を中心として、原子炉建屋の外周を取り囲んで凍土壁を凍結する目的の冷熱として、液化LNGの気化熱を塩化カルシウムなどの冷媒に置換をした冷熱を使用して凍土壁を凍結して、地下水が原子炉建屋に流れ込むのを阻止する。または、海洋への汚染水が、原子炉建屋から汚染水が漏洩をして、海洋に汚染水が流出するのを阻止することが出来る可能性がある。
【０１２３】
さらに、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化LNGの気化熱と置換をしたフロン２２R、又はフロン、又はアンモニア、又は塩化カルシウム、又はその他の冷却剤である冷媒（以下、略して、フロン２２、又はフロン、又はアンモニア、又は塩化カルシウム、又は冷媒とする）を使用して、高温状態にて暴走をしている核燃料を冷却する低温状態の冷却水（以下、略して、冷却水、又は汚染水とする）を、液化LNGの気化熱を使用して、冷却水を０℃から５℃以下の低温状態の温度に冷却をした冷却水である、極く低い低温状態の冷却水を使用して、高温状態にて暴走をしている核燃料を、例えば、１００℃未満の常温状態に冷却をすることにより、一日当たり４００トンの冷却水が必要とされる冷却水を、1/5程度の８０トン前後の冷却水を使用して、高温状態にて暴走をしている核燃料を、１００℃未満の常温状態に冷却をすることが出来ることになる。従来、一日当たり、常温状態の冷却水を４００トン使用して核燃料を冷却しているのが現状である。この４００トンの冷却水を使用して、核燃料を冷却している冷却水が、日々、汚染水となって、４００トンの高濃度に汚染された汚染水を排出しているのが現状である。この汚染水の排出を最小限に減少させる目的にて、冷却水を０℃から５℃以下に冷却をした、８０トン程度の冷却水を使用して、高温状態にて暴走をしている核燃料を冷却することにより、結果として、高濃度に汚染をされた汚染水の発生を、例えば、一日当たり４００トンから、４００トンの1/5程度の８０トン前後に汚染水の発生を減少させることが出来る可能性がある。
【０１２４】
また、本発明は、原子力発電所が地震、及び津波などの天災により破損、及び破壊されて原子力発電所が制御できない場合の、原子炉を冷却、及び放射能に汚染された放射能汚染水を遮断することが出来る可能性がある。
【０１２５】
さらに、本発明は、原子力発電所を構成している原子炉が破損、及び破壊をされて、原子炉内部の核燃料が臨界に到達して暴走をしている。この高温状態の核燃料を冷却するのに、水溶液を使用して冷却をするのとは異なり、液化LNGの気化熱から熱交換機を経由して、冷却をフロン、又はアンモニアに置換した、冷熱のフロン、又はアンモニアを使用して核燃料を、核燃料の外周、又は原子炉の真下部分の地中を凍結して、間接的に、核燃料を外周、又は原子炉の真下の部分から冷却することにより、放射能汚染水の発生を、皆無とすることが出来る可能性がある。
【０１２６】
また、本発明は、原子炉の真下の部分の地中を凍結して、核燃料を冷却することにより、核燃料がメルトダウン（以下、略して、炉心溶融とする）を起こすことを防止することが出来る。これも、液化LNGの膨大な気化熱を、引火性がなくて、危険性が全くない安全なフロン、又はアンモニアに冷熱を置換することが出来るからである。
【０１２７】
さらに、福島第一原子力発電所を中心として建設をする凍土壁を凍結する冷媒として、膨大な冷熱を安価にて供給をすることが出来る、−１６２℃の液化ＬＮＧの気化熱を使用して凍土壁を凍結することが出来る可能性がある。
【０１２８】
また、福島第一原子力発電所を中心として建設をする凍土壁を凍結する冷媒として、福島第一原子力発電所から５０ｋｍ程度の距離にある、仙台市ガス局から−１６２℃の液化ＬＮＧの供給を受けて凍土壁を凍結することが出来る可能性がある。
【０１２９】
さらに、福島第一原子力発電所を中心として建設をする凍土壁を凍結する冷媒として、仙台市ガス局から−１６２℃の液化ＬＮＧの供給を受け、気化熱を使用して凍土壁を凍結したあとの、気化をしたＬＮＧの気化のガスは、仙台市ガス局に送り返すことが出来る可能性がある。
【０１３０】
また、高温状態にて発熱をしている核燃料を冷却するのに、−１６２℃の液化ＬＮＧの気化熱を塩化カルシウム、又は不凍液、又はその他の冷媒（以下、略して、塩化カルシウムとする）と置換をした、−３０℃以下に冷却をした塩化カルシウムと核燃料とを、直接に接触をさせて核燃料を冷却することが出来る可能性がある。
【０１３１】
さらに、汚染水の発生を一切遮断する目的にて、高温状態にて発熱をしている核燃料を冷却するのに水溶液を一切使用しなくて、核燃料を冷却する目的のために、福島第一原子力発電所の原子炉の内部にて、高温状態にて発熱をしている核燃料を冷却するのに、−１６２℃の液化ＬＮＧの気化熱を塩化カルシウム、又は不凍液、又はその他の冷媒（以下、略して、塩化カルシウム、又は冷媒とする）と置換をした、−３０℃以下に冷却をしている塩化カルシウム、又は冷媒とを、直接に核燃料と接触をさせて、高温状態にて発熱をしている核燃料と、−３０℃以下に冷却をした塩化カルシウム、又は冷媒とを、直接に接触をさせて、高温状態にて発熱をしている核燃料を、−３０℃以下に冷却をしている塩化カルシウム、又は冷媒を使用して冷却をすることが出来る可能性がある。
【０１３２】
また、福島第一原子力発電所を中心として、建屋の外周に地下水が建屋に流れ込むのを防止するために、総延長が１,４００ｍもの凍土壁を建設する。この凍土壁を凍結するのに、膨大な冷熱を安価に供給することが出来る、−１６２℃の液化ＬＮＧの気化熱をフロン、又は塩化カルシウム、又はその他の冷媒と置換をした冷熱を使用して凍土壁を凍結することが出来る可能性がある。
【０１３３】
さらに、福島第一原子力発電所を中心として、地下水が建屋に流れ込むのを防止することを目的とする。または、汚染水が建屋から漏洩するのを防止する目的にて、建屋の外周に建設する凍土壁を凍結するのに、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して凍土壁を凍結することが出来る可能性がある。
【０１３４】
また、汚染水が溜まった地下坑道（トレンチ）を凍結する場合、汚染水はタービン建屋から地下坑道に流れ込んだ後、地下坑道から海洋に汚染水が漏洩をしている。この漏洩をしている汚染水は流速があり、流速が冷却熱を奪って流出をしている汚染水が流れ出している、この地下坑道を凍結する場合、冷媒として、膨大な冷熱を安価に供給することが出来る、−１６２℃の液化ＬＮＧの気化熱を−１００℃以下の低温に置換をしたアンモニア、又は塩化カルシウム、又はフロン、又はその他の冷媒（以下、略して、フロン、又はフロン２２Ｒとする）と置換をした、フロンなどの冷媒を使用して冷却することにより、汚染水が流れ出している地下坑道を凍結することが出来る可能性がある。
【０１３５】
さらに、原子炉配管から漏水をしている、高濃度に汚染をされた汚染水、例えば、原子炉を貫く配管の蛇腹部分から冷却水が漏れ出している漏洩水を止めるのに、水溶液を使用して冷却をする代わりとして、−１６２℃の液化ＬＮＧの気化熱を塩化カルシウム、又はその他の冷媒（以下、略して、塩化カルシウムとする）と置換をした、−３０℃以下に冷却をした塩化カルシウムを、直接に冷却剤の冷媒として使用して、原子炉を貫く配管の蛇腹部分から冷却水が漏れ出している漏洩水を、−３０℃以下に冷却をした塩化カルシウムを、直接に冷却剤の冷媒として使用して冷却をすることにより、結果として、漏洩水を凍結して、原子炉を貫く配管の蛇腹部分から冷却水が漏れ出している漏洩水を氷結することにより、蛇腹部分から冷却水が漏れ出している漏洩水を止めることが出来る可能性がある。
【０１３６】
また、格納容器が破損して水漏れを起こしている破損部分を修復して、格納容器からの水漏れを止めるのに、水溶液を使用して冷却をする代わりとして、−１６２℃の液化ＬＮＧの気化熱と置換をした塩化カルシウムを、−３０℃以下に冷却をした塩化カルシウムを、直接に冷却剤の冷媒として使用して、格納容器が破損して水漏れを起こしている水溶液を凍結することにより、結果として、破損部分を修復して、格納容器からの水漏れを氷結することにより、格納容器からの水漏れを止めることが出来る可能性がある。
【０１３７】
さらに、原子炉の内部にて、高温状態にて発熱をしている核燃料を冷却するのに、例えば、−３０℃以下に冷却をした塩化カルシウム、又は不凍液、又は冷媒（以下、略して、塩化カルシウムとする）を使用して、核燃料を冷却することにより、原子炉を貫く配管の蛇腹部分が損傷をして、冷却水が水漏れを起こしている損傷部分、又は格納容器が破損をして水漏れを起こしている破損部分からの漏洩水を止めることが出来る可能性がある。
【符号の説明】
【０１３８】
Ａ      福島第一原子力発電所を構成している原子炉（以下、略して、フクイチ、又は福１、又は原子炉とする）
Ｂ、及びＤ      （以下、略して、Ｂとする）鉄製の密封容器であるブロック、又はコン
テナー
Ｃ      内側の堤防
Ｅ      外側の堤防
Ｆ      セメント
Ｇ      地面
Ｈ      土砂
Ｉ      小石、大きい石、御影石、大理石、又は砕石（以下、略して、砕石とする）
Ｊ      漁網で出来ている袋
Ｋ      圧力容器
Ｌ      格納容器
Ｍ      圧力抑制プール
Ｎ      1号機格納容器の破損部分
Ｏ      2号機格納容器の破損部分
Ｐ      制御棒
Ｑ      本来の燃料
Ｒ      溶融して落下した燃料
Ｓ      圧力容器の破損部分
Ｔ      格納容器を凍結させるために必要なコンクリート、又は凍土壁で出来ている外壁（以下、略して、構造物とする）
Ｕ      −40℃以下の低温にて凍結している部分（以下、略して、凍結部分とする）
Ｖ      土壌、又は泥、又は真砂土、又は小石に水溶液を混合した真砂土（以下、略して、真砂土とする）
Ｗ      水、又は水溶液（以下、略して、水溶液、又は水分とする）
Ｘ      液化LNGの気化熱と置換をした、冷熱のフロン、又はアンモニア送入口（以下、略して、液化LNG、又はフロン、又はアンモニアとする）
Ｙ      気化をしたLNGガス、又はフロン、又はアンモニア排出口（以下、略して、LNGガス、又はフロン、又はアンモニアとする）
Ｚ      液化LNG、又はフロン、又はアンモニアの循環経路（以下、略して、ガス管、又は鋼管とする）
【図１】
2019164149.tif 000003
【図２】
2019164149.tif 000004
【図３】
2019164149.tif 000005
【図４】
2019164149.tif 000006
【図５】
2019164149.tif 000007
【図６】
2019164149.tif 000008
【図７】
2019164149.tif 000009
【図８】
2019164149.tif 000010